(57)【要約】  瓶（２）、キャップであって、瓶に取り付けたキャップ、並びに収縮ラベル（１）であって、少なくとも瓶（２）の一部分及びキャップ（３）の一部分を覆い、瓶とキャップの間の間隙（４）を覆う収縮ラベルを含むパーソナルケア組成物用パッケージ。パッケージは、シャワー又は浴室など、濡れた環境で使用される時、水がキャップ（３）と瓶（２）の間にたまって、キャップ（３）と瓶（２）の間にカビ及び／又は白カビの形成をもたらすことがあるのを防ぐことができる。パッケージはまた、消費者が小売店でネジをゆるめる、ないしはキャップ（３）を瓶（２）から取り外して、店の棚の上にパーソナルケア組成物の漏れをもたらすことがないようにすることもできる。
2008502550.tif 000002
【特許請求の範囲】
【請求項１】
パーソナルケア製品用パッケージであって、
瓶と、
キャップであって、該キャップが前記瓶に取り付けられるキャップと、
収縮ラベルであって、該収縮ラベルが少なくとも前記瓶の一部分及び前記キャップの一部分を覆い、そして該収縮ラベルが前記瓶と前記キャップの間の間隙を覆う収縮ラベルと、
を含むパッケージ。
【請求項２】
前記パッケージが瓶である、請求項１に記載のパッケージ。
【請求項３】
前記収縮ラベルが、連続的であるか又は穿孔されていない、請求項１または２に記載のパッケージ。
【請求項４】
前記収縮ラベルが、収縮スリーブラベル、好ましくは連続する収縮スリーブラベルである、請求項１〜３のいずれか一項に記載のパッケージ。
【請求項５】
前記瓶と前記キャップの間の前記間隙が、０．０１〜５ｍｍである、請求項１〜４のいずれか一項に記載のパッケージ。
【請求項６】
前記収縮ラベルが、延伸フィルム材を含む、請求項１〜５のいずれか一項に記載のパッケージ。
【請求項７】
前記延伸フィルム材が、ポリ塩化ビニル、ポリエチレン、ポリプロピレン、他のポリオレフィン及びコポリマー、ポリエステル、ポリスチレン、並びにこれらの組み合わせから成る群から選択され、好ましくはポリスチレンである、請求項６に記載のパッケージ。
【請求項８】
前記延伸フィルム材が、３０〜１００μｍ、好ましくは４０〜５０μｍの厚さを有する、請求項６または７に記載のパッケージ。
【請求項９】
前記収縮ラベルが取り外し不可能である、請求項１〜８のいずれか一項に記載のパッケージ。
【請求項１０】
前記収縮ラベルが、前記キャップに封止されている、請求項１〜９のいずれか一項に記載のパッケージ。
【請求項１１】
前記パッケージが、濡れた環境で、好ましくはシャワー若しくは浴室で保管及び／又は使用される、請求項１〜１０のいずれか一項に記載のパッケージ。
【請求項１２】
前記パッケージがボディーウォッシュ、シャワー中の体用保湿組成物、シャンプー、及びヘアコンディショナーから成る群から選択されるパーソナルケア組成物を含む、請求項１〜１１のいずれか一項に記載のパッケージ。
【発明の詳細な説明】
【技術分野】
【０００１】
本発明は、シャンプー、ヘアコンディショナー、シェービングローション、ボディーウォッシュ、及びシャワー中の体用保湿剤などのパーソナルケア組成物用パッケージに関する。
【背景技術】
【０００２】
シャンプー、ヘアコンディショナー、シェービングローション、ボディーウォッシュなどのパーソナルケア組成物を含むパッケージは、プラスチックの瓶及びキャップを含むことが多い。キャップは、通常、瓶の上にねじ締めされるか又はパチンと閉じてパッケージを形成する。キャップは、引上げふた（flip-top）式放出キャップであることが多いので、消費者は、容易にキャップを開けて、放出口を露出することができ、そこからパーソナルケア組成物が放出される。
【０００３】
そのようなパッケージに伴う１つの問題は、通常、キャップの側壁（単数又は複数）と瓶の壁（単数又は複数）との間に形成される間隙があることである。パッケージが、シャワーなどの濡れた環境で保管及び／又は使用される時、水が、キャップと瓶の間にたまって、キャップと瓶の間にカビ及び／又は白カビの成長をもたらすことがある。この問題は、特に、トトルであるパッケージ、又は消費者によって濡れた環境で逆さにした位置で保管されるパッケージに関係する。
【発明の開示】
【発明が解決しようとする課題】
【０００４】
これらのパッケージに伴う第２の問題は、消費者が小売店内で組成物の香りをかぐ又は製品の色をよく見るために、ネジをゆるめる、ないしはキャップを瓶から取り外すことが多いことである。消費者が適切にネジ締めしない、ないしは別の方法でキャップを瓶に再び取り付けない場合、パッケージから、小売店の棚の上にパーソナルケア組成物が漏れることになる。
【０００５】
故に、パッケージのキャップと瓶の間にカビ及び／又は白カビが形成されるのを防ぐことができ、そして店舗で消費者が瓶からキャップを取り外せないようにして、パッケージの漏れを防ぐことができるパッケージを製造する要請がある。
【課題を解決するための手段】
【０００６】
本発明は、（ａ）瓶、（ｂ）キャップであって、瓶に取り付けたキャップ、並びに（ｃ）収縮ラベルであって、少なくとも瓶の一部分及びキャップの一部分を覆い、瓶とキャップの間の間隙を覆う収縮ラベルを含むパーソナルケア組成物用パッケージに関する。パッケージは、好ましくは、シャンプー、ヘアコンディショナー、シェービングローション、ボディーウォッシュ、シャワー中の体用保湿剤など、パーソナルケア組成物を収容するために使用され、一般に、シャワー又は浴槽などの濡れた環境で保管される。瓶とキャップの間の間隙を覆うと、収縮ラベルは、水が瓶とキャップの間にたまって、瓶とキャップの間にカビ及び／又は白カビの形成をもたらすことがあるのを防ぐことができる。同様に、本発明のパッケージは、同様に、本発明のパッケージは、消費者が瓶のキャップを取り外して、キャップを再び瓶に適切に取り付けない場合、小売店の棚の上への組成物の漏れをもたらす可能性がある瓶のキャップを、消費者が小売店で取り外さないように要請することができる。
【発明を実施するための最良の形態】
【０００７】
本明細書で使用するとき、用語「トトル」は、瓶、及び瓶に取り付けたキャップを含むパッケージを意味し、パッケージは、そのキャップの上に載るように設計される。多くのシャンプー、ヘアコンディショナー、シェービングローション、ボディーウォッシュ、シャワー中の体用保湿剤、及びシャワー又は浴室で使用される他の製品は、トトルに含まれる。
【０００８】
パッケージ
本発明のパッケージは、(ａ）瓶、（ｂ）キャップであって、瓶に取り付けたキャップ、並びに（ｃ）収縮ラベルであって、少なくとも瓶の一部分及びキャップの一部分を覆い、そして瓶とキャップの間の間隙を覆う収縮ラベルを含む。
【０００９】
本パッケージの瓶は、様々な形体又は形状で提供することができる。瓶は、典型的には、プラスチック材料から作製される。適したプラスチック材料の例には、高密度ポリエチレン（「ＨＤＰＥ」）、低密度ポリエチレン（「ＬＤＰＥ」）、ポリエチレンテレフタレート（「ＰＥＴ」）、ポリプロピレン（「ＰＰ」）、ポリ塩化ビニル、ポリカーボネート、ナイロン、及びフッ素化エチレンプロピレンが挙げられる。瓶は、吹込み成形、射出成形など、当該技術分野において既知の多くの様々な方法によって作製することができる。本発明の好ましい瓶は、ＨＤＰＥ若しくはＰＰから押出し吹込み成形方法によって、又はＰＥＴから射出吹込み成形方法によって作製される。
【００１０】
瓶は、典型的には、含まれる組成物が放出されることができる開口部を含む。瓶はまた、典型的には、ねじ山、スナップ嵌めカラーなど、キャップが取り付けられることができる取り付け構造体も含む。
【００１１】
本パッケージのキャップは、フリップトップ式、チューブトップ式、若しくはディスクトップ式放出キャップなど、様々な形体又は形状で提供されることができる。キャップは、典型的には、プラスチック材料から作製され、本発明の瓶を作製するのに適した、上記で説明した材料が挙げられる。適した放出キャップの非限定的な例は、米国特許第４,８５４,４７３号及び米国特許第４,６３８,９１６号に開示されている。
【００１２】
キャップは、典型的には、開口部を含み、含まれる組成物はそこを通って放出されることができる。キャップはまた、典型的には、ねじ山受け、スナップ嵌めカラー受けなど、キャップを本発明の瓶に取り付けるのに適合した取り付け構造体も含む。
【００１３】
キャップは、瓶の取り付け構造体をキャップの取り付け構造体に係合させることにより瓶に取り付けられる。例えば、瓶がねじ山を有し、キャップがねじ山受けを有するとき、キャップは隙間が無くなるまで瓶の上にねじ締めされる。間隙は、概ね、キャップの側壁(単数又は複数)と瓶の壁(単数又は複数)との間に形成される。瓶及びキャップの両方に十分な製造許容度を可能にして、瓶の取り付け構造体とキャップの取り付け構造体との間に隙間のない適合を提供し、パッケージからの組成物の漏れを防ぐために、瓶とキャップの間にこの間隙を有することが重要なことがある。瓶とキャップの間の間隙の大きさ（キャップの側壁(単数又は複数)と瓶の壁(単数又は複数)との間の最短距離として測定される）は、典型的には、約０．０１〜約５ｍｍ、好ましくは約０．１〜約１ｍｍ、より好ましくは約０．２〜約０．６ｍｍである。
【００１４】
本パッケージの収縮ラベルは、一般に延伸プラスチックシート又は管上に印刷したフィルムラベルを含み、熱がラベルに加えられた時、取り囲んだ容器の外形に順応する。一般に、当該技術分野において既知の二つのタイプの収縮ラベルがある。（１）収縮スリーブラベル、及び（２）ロール送り巻き付けラベル。収縮スリーブラベルが、本発明の好ましい収縮ラベルである。収縮スリーブラベルは、一般に、長手方向及び横方向を画定する熱収縮可能フィルムから作製される、そして開放最上部及び開放底部を有する管状構造体である。
【００１５】
収縮スリーブラベルは、概ね、その管状構造体の直径が、被せられることが意図される瓶及びキャップの上を滑るのに十分に大きい寸法である。管状構造体の長さは、収縮ラベルが瓶及びキャップの上に収縮した後、少なくとも瓶の一部分及びキャップの一部分を覆うのに十分に長い。収縮スリーブラベルを瓶及びキャップの上へ滑らせると、次に熱が加えられて、収縮ラベルを瓶及びキャップに合わせて収縮させる。
【００１６】
収縮ラベルは、典型的には、延伸フィルム材から作製される。延伸フィルム材は、一般に、画定した方向、通常は収縮スリーブラベルにおける横方向であり、収縮スリーブラベルの長手方向に垂直な方向に最大収縮を有するフィルム材である。適したフィルム材の非限定的な例には、ポリ塩化ビニル、ポリエチレン、ポリプロピレン、他のポリオレフィン及びコポリマー、ポリエステル、ポリスチレン、並びにこれらの組み合わせ（例えば、積層したフィルム材）が挙げられる。本発明の収縮ラベルとして好ましいフィルム材は、ポリスチレンである。
【００１７】
収縮ラベルのフィルム材の厚さは、概ね、約３０〜約１００μ、好ましくは約４０〜約５０μである。本発明の収縮ラベルとして好ましいフィルム材は、５０μの厚さを有する。
【００１８】
本発明の収縮ラベルとして好ましいフィルム材は、アメリカンフジシール社（American Fuji Seal, Inc.）から、商標名ＦＶＫ−３５０で入手可能である。
【００１９】
収縮ラベル用フィルム材には、フィルム材上のいかなる所望の位置でも、絵画、文章などをプレプリントされることができる。グラビア（又は輪転グラビア）印刷及びフレキソ印刷を含む様々な印刷方法が使用されて、収縮ラベル上に絵画を印刷することができる。好ましい印刷方法は、グラビア印刷である。
【００２０】
フィルム材はまた、磨り減り防止のために、又はフィルム材の摩擦係数を調整して、瓶及びキャップの上の収縮ラベルの滑りを容易にするために、ニスなどの保護層で覆われることもできる。
【００２１】
収縮ラベルは、穿孔されて、収縮ラベルをユニークな形の瓶に被せるのを容易にすることができる。収縮ラベルはまた、穿孔されて、製品を使い終わった後、収縮ラベルを取り外すのを容易にして、材料の適切なリサイクルを可能にすることもできる。しかし、本発明の収縮ラベルは、好ましくは、製品の使用前に消費者が収縮ラベルを取り外すのを容易にするために穿孔されない。例えば、収縮ラベルは、好ましくは、その収縮ラベルの周囲全体にわたって穿孔されない、好ましくは収縮ラベルの長手方向軸線に平行な表面全体を横切って穿孔されない。
【００２２】
本発明の１つの実施形態では、収縮ラベルは、連続する及び／又は非穿孔フィルムから作製され、取り外し不可能である（すなわち、収縮ラベルは、製品の使用前に消費者によって取り外されることを意図していない）。この実施形態は、穿孔され、そして使用前に消費者によって取り外される、いたずら防止（tamper-evident）収縮バンドを含むパッケージと対照的である。
【００２３】
本発明の１つの実施形態では、特にパッケージがトトルである場合、収縮ラベルは、放出キャップの最上壁の上に延出しないが、それは、瓶及びキャップに収縮ラベルを被せるプロセス中に、収縮ラベルが放出キャップの最上壁に沿って集まるために、パッケージが、棚の上で不安定なすわりになる傾向があるためである。
【００２４】
本発明の１つの実施形態では、収縮ラベルは、キャップの側壁(単数又は複数)に封止される。収縮ラベルは、接着剤（例えば、感圧性接着剤）によって、又はヒートシールによってキャップの側壁（単数又は複数）に封止されることができる。
【００２５】
本発明の１つの実施形態では、キャップは、排出孔又は排水孔を含まない。本発明の収縮ラベルは、水が瓶とキャップの間にたまるのを防ぐことができるので、キャップに排出口又は排水口を組み込むのが不必要なことがある。
【００２６】
以下は収縮スリーブラベルを本発明の瓶及びキャップに被せるプロセスの説明である。上述のように、大抵の収縮ラベルは、熱が加えられた時に容器の周囲で収縮する延伸プラスチックフィルムから作製される。それらの収縮ラベルは、引き伸ばされ（配向され）、そして継ぎ合わされた平坦なフィルム材から、又は吹込み方法で引き伸ばされた管状フィルム材から作製されることができる。収縮ラベルが収縮する程度は、フィルム材が引き伸ばされる時に決定される。実際に、フィルム材を引き伸ばすと、材料に「記憶」のプログラムを組み込む。その記憶は、収縮ラベルが容器の上に滑らされた後、熱を加えることにより戻り、フィルム材は収縮する。収縮スリーブラベルは、個々のプレカットスリーブとして供給されるか、又は連続するロールで供給され、次に自動的に切断されて、その後、容器に被せられることができる。
【００２７】
収縮スリーブラベルを瓶及びキャップに被せるプロセスでは、収縮スリーブラベルは、物品の周囲に緩く配置される。収縮スリーブラベルは、手又は自動高速被せ機械装置のどちらかによって、物品の長さにわたって配置されるのを可能にするのに丁度十分な大きさである。収縮スリーブラベルのフィルム材は、物品が熱トンネルを通過する時に収縮し、熱は、例えば、熱い空気若しくは蒸気、又は他の同様の方法（例えば、放射熱）によって加えられる。熱トンネル内で、フィルム材は軟化し、その元のより小さい寸法を求め、そしてそのプロセスで物品の周囲に隙間無く収縮する。様々な収縮フィルム材、厚さ、並びに瓶及びキャップの形及び材料について、様々な時間及び温度特性が必要である。収縮スリーブラベルを瓶及びキャップに有効に被せるために、熱トンネルは、幾つかの「ゾーン」を有し、熱（例えば、熱い空気又は蒸気）が、様々な時間及び温度で容器の様々な部分に連続的に向けられてもよい。
【００２８】
図１は、収縮スリーブラベル１と、瓶２に取り付けたフリップトップ式放出キャップ３を有する瓶２との分解図である。キャップ３が瓶２に取り付けられた後、瓶２とキャップ３の間に間隙４が形成される。収縮スリーブラベル１は、ポリスチレンから作製され、５０μの厚さを有し、概ね管状の構造体を有する。収縮スリーブラベル１の管状構造体の幅は、瓶２の最大幅に対応する。管状構造体の長さは十分に長く、瓶２及びキャップ３に被せられたとき、少なくとも瓶２の一部分及びキャップ３の一部分を覆う。収縮スリーブラベル１は、瓶２及びキャップ３の上に収縮スリーブラベル１を滑らせ、次に、その物品に蒸気の熱トンネルを通過させることによって、瓶２及びキャップ３に被せられる。
【００２９】
図２は、収縮スリーブラベル１が瓶２及びキャップ３に被せられた後の、図１に示される本発明のパッケージの正面図である。収縮スリーブラベル１は、瓶２とキャップ３の間の間隙４を覆っている。このパッケージはトトルであって、パッケージは、放出キャップ３の最上壁５の上に載っている。
【００３０】
図３は、図２のパッケージの部分断面図であり、瓶２の壁６、キャップ３の側壁７、及び収縮スリーブラベル１を示し、収縮スリーブラベル１は、瓶２とキャップ３の間の間隙４を覆っている。
【００３１】
パーソナルケア組成物
本発明のパッケージは、シャンプー、ヘアコンディショナー、シェービングローション、ボディーウォッシュ、シャワー中の体用保湿剤など、様々なパーソナルケア組成物を含むために使用されることができる。シャンプーの非限定的な例は、米国再発行特許第３４，５８４号（US RE34,584）、米国特許第５，９３２，２０３号、及び米国特許第５，９３５，５６１号に記載されている。ヘアコンディショナーの非限定的な例は、米国特許第４，３８７，０９０号及び米国特許第４，７０５，６８１号に記載されている。シェービングローションの非限定的な例は、米国特許第５，２４８，４９５号、米国特許第５，４５１，３９６号、及び米国特許第６，６８２，７２６号に記載されている。ボディーウォッシュの非限定的な例は、米国特許第５，８８５，９４８号、米国特許第６，０８０，７０７号、及び米国特許第６，１９４，３６４号に記載されている。シャワー中の体用保湿剤の非限定的な例は、米国特許第６，６９９，４８８号、米国特許第６，６４５，５１１号、米国特許出願２００３／００４９２８２Ａ１（US 2003/0049282 A1）、及び米国特許出願２００３／００５４０１９Ａ１（US 2003/0054019 A1）に記載されている。
【００３２】
「発明を実施するための最良の形態」で引用したすべての文献は、関連部分において本明細書に参考として組み込まれるが、どの文献の引用も、それが本発明に関する先行技術であるとの容認と解釈されるべきではない。
【００３３】
本発明の特定の実施形態が説明及び記載されてきたが、本発明の精神及び範囲から逸脱することなく他の様々な変更及び修正を行えることが当業者には明白であろう。したがって、本発明の範囲内にあるそのようなすべての変更及び修正を、添付の特許請求の範囲で扱うものとする。
【図面の簡単な説明】
【００３４】
【図１】本発明のパッケージの１つの実施形態の分解図であり、収縮スリーブラベルが瓶及びキャップに被せられる前の、収縮スリーブラベルと、瓶に取り付けたフリップトップ式放出キャップを有する瓶とを示している。
【図２】収縮スリーブラベルが瓶及びキャップに被せられた後の、図１に示されるパッケージの実施形態の正面図。
【図３】図２のパッケージの部分断面図。
【図１】
2008502550.tif 000003
【図２】
2008502550.tif 000004
【図３】
2008502550.tif 000005
【国際調査報告】
2008502550.tif 000006
2008502550.tif 000007
2008502550.tif 000008